(57)【要約】【課題】装置本体に接続されたアンテナがアクティブアンテナか否かを判別するとともに、消費電力の増加を抑制することが可能な受信装置を提供する。【解決手段】この受信装置２は、ディジタルテレビ１にアンテナ３が接続されているか否かおよびディジタルテレビ１に接続されたアンテナ３がアクティブアンテナ３ａか否かを検知する制御部２ｂを備える。【選択図】図２
2008219540.tif 000002
【特許請求の範囲】
【請求項１】
アンテナが接続されるアンテナ接続部を含む装置本体を備えた受信装置において、
前記装置本体に前記アンテナが接続されているか否かおよび前記装置本体に接続された前記アンテナがアクティブアンテナか否かを検知するアンテナ検知機能を有する制御部と、
前記アンテナに電力を供給する電源部と、
前記電源部と前記アンテナ接続部との間に設けられた抵抗部とをさらに備え、
前記制御部は、前記アンテナ検知機能により前記装置本体に接続された前記アンテナが前記アクティブアンテナであることが検知された場合に、前記アンテナ接続部を介して前記アンテナに電力を供給するとともに、前記装置本体に前記アンテナが接続されていないことが検知された場合に、前記アンテナ接続部に電力を供給しないように制御するように構成され、
前記制御部は、前記アンテナ検知機能により前記装置本体に前記アンテナが接続されていないことが検知された場合に加えて、前記装置本体に接続された前記アンテナが前記アクティブアンテナではないことが検知された場合にも、前記アンテナ接続部に電力を供給しないように制御するように構成され、
前記制御部は、前記電源部から所定の大きさの電力を前記アンテナ接続部を介して前記アンテナに供給するとともに、前記アンテナ検知機能により前記抵抗部と前記アンテナ接続部との間の電圧の大きさを検知することにより前記アクティブアンテナか否かを検知するように構成され、
前記制御部は、前記装置本体に電源が投入される毎に、前記アンテナ検知機能により前記アンテナが前記アクティブアンテナか否かを検知する、受信装置。
【請求項２】
アンテナが接続されるアンテナ接続部を含む装置本体と、
前記装置本体に前記アンテナが接続されているか否かおよび前記装置本体に接続された前記アンテナがアクティブアンテナか否かを検知するアンテナ検知機能を有する制御部と、
前記アンテナに電力を供給する電源部とを備え、
前記制御部は、前記アンテナ検知機能により前記装置本体に接続された前記アンテナが前記アクティブアンテナであることが検知された場合に、前記アンテナ接続部を介して前記アンテナに電力を供給するとともに、少なくとも前記装置本体に前記アンテナが接続されていないことが検知された場合に、前記アンテナ接続部に電力を供給しないように制御するように構成されている、受信装置。
【請求項３】
前記制御部は、前記アンテナ検知機能により前記装置本体に前記アンテナが接続されていないことが検知された場合に加えて、前記装置本体に接続された前記アンテナが前記アクティブアンテナではないことが検知された場合にも、前記アンテナ接続部に電力を供給しないように制御するように構成されている、請求項２に記載の受信装置。
【請求項４】
前記制御部は、前記装置本体に電源が投入される毎に、前記アンテナ検知機能により前記アンテナが前記アクティブアンテナか否かを検知する、請求項２または３に記載の受信装置。
【請求項５】
前記装置本体は、前記アンテナにより受信したテレビジョンの映像情報を表示する表示部を含み、
前記表示部は、前記アンテナに電力を供給するか否かの設定をユーザにより行う設定画面部を表示可能なように構成されている、請求項２〜４のいずれか１項に記載の受信装置。
【請求項６】
前記制御部は、前記表示部にテレビジョン以外の映像が表示されている場合に、前記アンテナに電力を供給しないように制御する、請求項５に記載の受信装置。
【請求項７】
前記電源部と前記アンテナ接続部との間に設けられた抵抗部をさらに備え、
前記制御部は、前記電源部から所定の大きさの電力を前記アンテナ接続部を介して前記アンテナに供給するとともに、前記アンテナ検知機能により前記抵抗部と前記アンテナ接続部との間の電圧の大きさを検知することにより前記アクティブアンテナか否かを検知するように構成されている、請求項２〜６のいずれか１項に記載の受信装置。
【請求項８】
前記制御部は、前記電源部から前記アンテナへの供給電力の大きさを変化させた場合に前記アンテナからの受信信号の受信強度の変化を検知することにより、前記装置本体に接続された前記アンテナが前記アクティブアンテナか否かを検知する受信感度検知機能を有する、請求項２〜６のいずれか１項に記載の受信装置。
【発明の詳細な説明】
【技術分野】
【０００１】
この発明は、受信装置に関し、特に、アンテナが接続される装置本体を備えた受信装置に関する。
【背景技術】
【０００２】
従来、アンテナが接続される装置本体を備えた受信装置が知られている（たとえば、特許文献１〜３参照）。
【０００３】
上記特許文献１には、アンテナ接続状態検出部を含む装置本体を備えたＧＰＳ受信機が開示されている。この特許文献１に記載のＧＰＳ受信機では、アンテナ接続状態検出部により装置本体とアンテナとの間における電圧が検出されるとともに、その電圧の大きさによって、装置本体に接続されたアンテナがアクティブアンテナであるか、パッシブアンテナであるかが判別される。そして、判別されたいずれかのアンテナに対応した動作を行うことが可能なように構成されている。
【０００４】
また、上記特許文献２には、アンテナ識別手段を含む装置本体を備えたテレビジョン放送受信装置が開示されている。この特許文献２に記載の受信装置では、アンテナ識別手段により、装置本体に接続されたアンテナが単指向性アンテナであるか、多指向性アンテナであるかが判別されるように構成されている。なお、単指向性アンテナとは単一方向のみの信号が受信可能なアンテナであるとともに、多指向性アンテナとは複数方向の信号が受信可能なアンテナである。
【０００５】
また、上記特許文献３には、ディジタルテレビジョン放送信号受信装置が開示されている。この特許文献３に記載の受信装置では、アンテナにより受信する信号において、受信強度が最大になる方向の信号と、受信強度が最大になる方向の反対方向からの信号との受信強度の差により、装置本体に接続されたアンテナが単指向性アンテナか、または多指向性アンテナかを判別するように構成されている。
【０００６】
【特許文献１】特開２００２−１２２６５１号公報
【特許文献２】特開２００６−２５１９９号公報
【特許文献３】特開２００６−１３９７３号公報
【発明の開示】
【発明が解決しようとする課題】
【０００７】
しかしながら、上記特許文献１に記載のＧＰＳ受信機では、アンテナが装置本体に接続されているか否かを判別する機能については開示も示唆もされていないので、アンテナが装置本体に接続されていない場合にも、装置本体のアンテナ接続部に電力が供給される場合があると考えられる。したがって、その分消費電力が増加するという問題点がある。
【０００８】
また、上記特許文献２および３に記載の受信装置では、装置本体に接続されているアンテナがアクティブアンテナか否かを判別する機能については開示も示唆もされていないので、装置本体に接続されているアンテナがアクティブアンテナか否かを判別できない場合があるという問題点がある。
【０００９】
この発明は、上記のような課題を解決するためになされたものであり、この発明の１つの目的は、装置本体に接続されたアンテナがアクティブアンテナか否かを判別するとともに、消費電力の増加を抑制することが可能な受信装置を提供することである。
【課題を解決するための手段および発明の効果】
【００１０】
この発明の第１の局面による受信装置は、アンテナが接続されるアンテナ接続部を含む装置本体を備えた受信装置において、装置本体にアンテナが接続されているか否かおよび装置本体に接続されたアンテナがアクティブアンテナか否かを検知するアンテナ検知機能を有する制御部と、アンテナに電力を供給する電源部と、電源部とアンテナ接続部との間に設けられた抵抗部とをさらに備え、制御部は、アンテナ検知機能により装置本体に接続されたアンテナがアクティブアンテナであることが検知された場合に、アンテナ接続部を介してアンテナに電力を供給するとともに、装置本体にアンテナが接続されていないことが検知された場合に、アンテナ接続部に電力を供給しないように制御するように構成され、制御部は、アンテナ検知機能により装置本体にアンテナが接続されていないことが検知された場合に加えて、装置本体に接続されたアンテナがアクティブアンテナではないことが検知された場合にも、アンテナ接続部に電力を供給しないように制御するように構成され、制御部は、電源部から所定の大きさの電力をアンテナ接続部を介してアンテナに供給するとともに、アンテナ検知機能により抵抗部とアンテナ接続部との間の電圧の大きさを検知することによりアクティブアンテナか否かを検知するように構成され、制御部は、装置本体に電源が投入される毎に、アンテナ検知機能によりアンテナがアクティブアンテナか否かを検知する。
【００１１】
この第１の局面による受信装置では、上記のように、装置本体にアンテナが接続されているか否かおよび装置本体に接続されたアンテナがアクティブアンテナか否かを検知するアンテナ検知機能を有する制御部を備えるように構成することによって、制御部のアンテナ検知機能により、装置本体に接続されたアンテナがアクティブアンテナであることを自動的に検知することができる。また、制御部が、装置本体にアンテナが接続されていないことが検知された場合にアンテナ接続部に電力を供給しないように制御するので、その分消費電力の増加を抑制することができる。
【００１２】
また、第１の局面による受信装置では、制御部が、アンテナ検知機能により装置本体にアンテナが接続されていないことが検知された場合に加えて、アクティブアンテナではないことが検知された場合にも、アンテナ接続部に電力を供給しないように制御するように構成することによって、アクティブアンテナ以外のアンテナが接続された場合にもアンテナ接続部に電力を供給しないように制御するので、その分さらに消費電力の増加を抑制することができる。また、制御部が、装置本体に電源が投入される毎に、アンテナ検知機能によりアンテナがアクティブアンテナか否かを検知するように構成することによって、ユーザが、装置本体に電源が投入されていない際にアンテナの交換などを行ったとしても、次回に装置本体に電源を投入された際にアンテナ検知機能により接続されたアンテナがアクティブアンテナであるか否かを容易に検知することができる。また、装置本体が、アンテナにより受信したテレビジョンの映像情報を表示する表示部を含み、表示部が、アンテナに電力を供給するか否かの設定をユーザにより行う設定画面部を表示可能なように構成することによって、ユーザは、アンテナに電力を供給するか否かの設定を表示部の設定画面部を用いて行うことができるので、ユーザは、アンテナに電力を供給するか否かの設定を容易に行うことができる。また、制御部が、表示部にテレビジョン以外の映像が表示されている場合に、アンテナに電力を供給しないように制御するように構成することによって、制御部は、たとえば、表示部にＤＶＤなどの映像が表示されている場合などアクティブアンテナを使用していない場合に、アクティブアンテナに電力を供給しないように制御するので、さらに消費電力の増加を抑制することができる。また、制御部が、電源部から所定の大きさの電力をアンテナ接続部を介してアンテナに供給するとともに、アンテナ検知機能により抵抗部とアンテナ接続部との間の電圧の大きさを検知することによりアクティブアンテナか否かを検知するように構成することによって、アンテナ検知機能により検知された電圧の大きさによってアンテナ接続部に接続されたアンテナがアクティブアンテナか否かを検知するので、アンテナ接続部に接続されたアンテナがアクティブアンテナか否かを容易に検知することができる。また、制御部が、電源部からアンテナへの供給電力の大きさを変化させた場合にアンテナからの受信信号の受信強度の変化を検知することにより、装置本体に接続されたアンテナがアクティブアンテナか否かを検知する受信感度検知機能を有するように構成することによって、アンテナへの供給電力の大きさの変化に伴う受信信号の受信強度の変化を検知するので、アンテナ接続部に接続されたアンテナがアクティブアンテナか否かを容易に検知することができる。
【００１３】
この発明の第２の局面による受信装置は、アンテナが接続されるアンテナ接続部を含む装置本体と、装置本体にアンテナが接続されているか否かおよび装置本体に接続されたアンテナがアクティブアンテナか否かを検知するアンテナ検知機能を有する制御部と、アンテナに電力を供給する電源部とを備え、制御部は、アンテナ検知機能により装置本体に接続されたアンテナがアクティブアンテナであることが検知された場合に、アンテナ接続部を介してアンテナに電力を供給するとともに、少なくとも装置本体にアンテナが接続されていないことが検知された場合に、アンテナ接続部に電力を供給しないように制御するように構成されている。
【００１４】
この発明の第２の局面による受信装置では、上記のように、装置本体にアンテナが接続されているか否かおよび装置本体に接続されたアンテナがアクティブアンテナか否かを検知するアンテナ検知機能を有する制御部を備えるように構成することによって、制御部のアンテナ検知機能により、装置本体に接続されたアンテナがアクティブアンテナであることを自動的に検知することができる。また、制御部が、装置本体にアンテナが接続されていないことが検知された場合にアンテナ接続部に電力を供給しないように制御するので、その分消費電力の増加を抑制することができる。
【００１５】
上記第２の局面による受信装置において、好ましくは、制御部は、アンテナ検知機能により装置本体にアンテナが接続されていないことが検知された場合に加えて、アクティブアンテナではないことが検知された場合にも、アンテナ接続部に電力を供給しないように制御する。このように構成すれば、アクティブアンテナ以外のアンテナが接続された場合にもアンテナ接続部に電力を供給しないように制御するので、その分さらに消費電力の増加を抑制することができる。
【００１６】
上記第２の局面による受信装置において、好ましくは、制御部は、装置本体に電源が投入される毎に、アンテナ検知機能によりアンテナがアクティブアンテナか否かを検知する。このように構成すれば、ユーザが、装置本体に電源が投入されていない際にアンテナの交換などを行ったとしても、次回に装置本体に電源を投入された際にアンテナ検知機能により接続されたアンテナがアクティブアンテナであるか否かを容易に検知することができる。
【００１７】
上記第２の局面による受信装置において、好ましくは、装置本体は、アンテナにより受信したテレビジョンの映像情報を表示する表示部を含み、表示部は、アンテナに電力を供給するか否かの設定をユーザにより行う設定画面部を表示可能なように構成する。このように構成すれば、ユーザは、アンテナに電力を供給するか否かの設定を表示部の設定画面部を用いて行うことができるので、ユーザは、アンテナに電力を供給するか否かの設定を容易に行うことができる。
【００１８】
上記第２の局面による受信装置において、好ましくは、制御部は、表示部にテレビジョン以外の映像が表示されている場合に、アンテナに電力を供給しないように制御する。このように構成すれば、制御部は、たとえば、表示部にＤＶＤなどの映像が表示されている場合などアクティブアンテナを使用していない場合に、アクティブアンテナに電力を供給しないように制御するので、さらに消費電力の増加を抑制することができる。
【００１９】
上記第２の局面による受信装置において、好ましくは、電源部とアンテナ接続部との間に設けられた抵抗部をさらに備え、制御部は、電源部から所定の大きさの電力をアンテナ接続部を介してアンテナに供給するとともに、アンテナ検知機能により抵抗部とアンテナ接続部との間の電圧の大きさを検知することによりアクティブアンテナか否かを検知する。このように構成すれば、アンテナ検知機能により検知された電圧の大きさによってアンテナ接続部に接続されたアンテナがアクティブアンテナか否かを検知するので、アンテナ接続部に接続されたアンテナがアクティブアンテナか否かを容易に検知することができる。
【００２０】
上記第２の局面による受信装置において、好ましくは、制御部は、電源部からアンテナへの供給電力の大きさを変化させた場合にアンテナからの受信信号の受信強度の変化を検知することにより、装置本体に接続されたアンテナがアクティブアンテナか否かを検知する受信感度検知機能を有する。このように構成すれば、アンテナへの供給電力の大きさの変化に伴う受信信号の受信強度の変化を検知するので、アンテナ接続部に接続されたアンテナがアクティブアンテナか否かを容易に検知することができる。
【発明を実施するための最良の形態】
【００２１】
以下、本発明の実施形態を図面に基づいて説明する。
【００２２】
（第１実施形態）
図１は、本発明の第１実施形態による受信装置が内蔵されたディジタルテレビの全体構成を示す図である。また、図２および図３は、本発明の第１実施形態による受信装置のブロック図である。まず、図１〜図３を参照して、本発明の第１実施形態による受信装置２の構成について説明する。なお、第１実施形態では、ディジタルテレビの受信装置に本発明を適用した場合について説明する。
【００２３】
第１実施形態によるディジタルテレビ１の受信装置２は、図１に示すように、ディジタルテレビ１に内蔵されている。また、ディジタルテレビ１は、アンテナ３が接続されるアンテナ接続部１ａと、アンテナ３により受信した映像などの情報を表示する表示部１ｂと、アンテナ３により受信された信号を映像に変換する受信装置２とによって構成されている。また、ディジタルテレビ１は、リモコン４により操作可能なように構成されている。
【００２４】
また、図２および図３に示すように、第１実施形態による受信装置２は、メモリ部２ａと、ＣＰＵからなる制御部２ｂと、制御部２ｂおよびアンテナ３（図１参照）に電力を供給する電源部２ｃと、バイポーラトランジスタ（ＰＮＰトランジスタ）からなるスイッチングトランジスタ２ｄと、抵抗２ｅと、電圧検出抵抗２ｆとによって構成されている。なお、図２は、第１実施形態による受信装置２にアクティブアンテナ３ａが接続されている状態を示しているとともに、図３は、第１実施形態による受信装置２にパッシブアンテナ３ｂが接続されている状態を示している。また、アクティブアンテナ３ａとは、受信した信号を電気的に増幅および減衰させる増幅回路を内部に含むアンテナである。また、パッシブアンテナ３ｂとは、増幅および減衰する増幅回路を含んでいないアンテナである。
【００２５】
メモリ部２ａには、受信装置２を制御するための制御プログラムなどが格納されている。
【００２６】
ここで、第１実施形態では、図２および図３に示すように、制御部２ｂは、ディジタルテレビ１に接続されたアンテナ３（図１参照）がアクティブアンテナ３ａ（図２参照）であると検知された場合に、アンテナ接続部１ａを介してアンテナ３に電力を供給するように制御する一方で，アクティブアンテナ３ａではないと検知された場合に、アンテナ接続部１ａに電力を供給しないように制御するように構成されている。また、制御部２ｂは、ディジタルテレビ１にアンテナ３が接続されていないと検知された場合にも、アンテナ接続部１ａに電力を供給しないように制御するように構成されている。
【００２７】
また、第１実施形態では、制御部２ｂは、たとえば、ＤＶＤの映像などのテレビジョン以外の映像がディジタルテレビ１の表示部１ｂに表示されている場合に、アンテナ接続部１ａに電力を供給しないように制御するように構成されている。
【００２８】
また、図２および図３に示すように、電源部２ｃは、抵抗２ｅを介して制御部２ｂに電力を供給するとともに、スイッチングトランジスタ２ｄ、電圧検出抵抗２ｆおよびアンテナ接続部１ａを介してアンテナ３（図１参照）に電力を供給するように構成されている。また、スイッチングトランジスタ２ｄは、電源部２ｃと電圧検出抵抗２ｆとの間に配置され、制御部２ｂの制御ポートからスイッチングトランジスタ２ｄのベースに対して伝達される制御信号に基づいてオンオフ制御が行われるように構成されている。また、抵抗２ｅは、電源部２ｃから制御部２ｂに供給される電力を制御するために設けられている。また、電圧検出抵抗２ｆおよびアンテナ接続部１ａの間の部分（図２のノードＡ）は、制御部２ｂの電圧検知ポートと接続されている。また、電圧検出抵抗２ｆは、アンテナ３に供給される電力を制御するとともに、制御部２ｂのノードＡにおける電圧を検知するために設けられている。
【００２９】
ここで、第１実施形態では、制御部２ｂは、図２および図３に示すように、電源部２ｃから所定の大きさの電力をアンテナ接続部１ａを介してアンテナ３（図１参照）に供給するとともに、電圧検出抵抗２ｆとアンテナ接続部１ａとの間のノードＡの電圧の大きさを検知することによりアクティブアンテナ３ａか否かを検知するように構成されている。
【００３０】
具体的には、電源部２ｃからは電圧５Ｖ、電流３０ｍＡからなる電力が供給される。そして、供給電力はスイッチングトランジスタ２ｄ、電圧検出抵抗２ｆ、ノードＡおよびアンテナ接続部１ａを介してアンテナ３に到達する。この際に、制御部２ｂは、ノードＡにおける電圧の大きさを検知して、接続されたアンテナ３がアクティブアンテナ３ａか否かを判断する。ここで、アクティブアンテナ３ａには、上記したようにアンテナ内に増幅回路が含まれていることにより、この増幅回路を一定の負荷と見なすことができる。したがって、アンテナ接続部１ａにアクティブアンテナ３ａが接続されている場合、ノードＡにおける電圧として、約１Ｖ程度の電圧が検知される。また、パッシブアンテナ３ｂ（図３参照）には、上記したように増幅回路は含まれておらず、パッシブアンテナ３ｂの一方は接地されている。したがって、アンテナ接続部１ａにパッシブアンテナ３ｂが接続されている場合、ノードＡにおける電圧として、約０Ｖの電圧が検知される。また、アンテナ接続部１ａにアンテナ３（アクティブアンテナ３ａおよびパッシブアンテナ３ｂ）が接続されていない場合、アンテナ接続部１ａは開放されていることになるので、アンテナ接続部１ａに電力は供給されず、電圧検出抵抗２ｆに電流が流れない。したがって、ノードＡにおける電圧として、約５Ｖ程度の電圧が検知される。以上のように、制御部２ｂは、ノードＡにおける電圧の大きさが約１Ｖ程度の場合には、アンテナ接続部１ａに接続されたアンテナ３がアクティブアンテナ３ａであると判断し、かつ、検知された電圧の大きさが約０Ｖの場合には、接続されたアンテナ３がパッシブアンテナ３ｂであると判断する。また、検知された電圧の大きさが約５Ｖ程度の場合には、アンテナ接続部１ａにアンテナ３（アクティブアンテナ３ａおよびパッシブアンテナ３ｂ）が接続されていないと判断するように制御するように構成されている。
【００３１】
図４および図５は、本発明の第１実施形態による受信装置に接続されたアンテナがアクティブアンテナか否かを判断する制御フローを示したフローチャートである。また、図６および図７は、本発明の第１実施形態による受信装置が内蔵されたディジタルテレビの表示部に表示される設定画面を示した図である。次に、図１〜図７を参照して、第１実施形態の受信装置２の電源投入時および電源投入状態における動作について説明する。
【００３２】
まず、本発明の第１実施形態による受信装置２への電源投入時における動作について説明する。図４に示すように、ステップＳ１において、ユーザのリモコン操作などによる受信装置２（図２参照）に対する電源投入の指示があるか否かが判断され、電源が投入されるまでこの判断が繰り返される。そして、受信装置２に電源投入の指示があると判断されると、ステップＳ２において、受信装置２による受信動作が開始される。そして、ステップＳ３において、５Ｖの電圧、３０ｍＡの電流からなる電力がアンテナ接続部１ａ（図２参照）に対して供給されるとともに、ステップＳ４において、制御部２ｂによりノードＡにおける電圧の検知が開始される。そして、ステップＳ５において、ステップＳ４において検知された電圧の大きさが約０Ｖであると判断された場合、ステップＳ６において、アンテナ接続部１ａに接続されたアンテナ３がアクティブアンテナ３ａではないと判断されて、ステップＳ７に進む。ステップＳ７においては、制御部２ｂによって、アンテナ３へ電力を供給しないように制御されて処理が終了される。なお、この場合、検知された電圧は約０Ｖなので、アンテナ接続部１ａに接続されたアンテナ３はパッシブアンテナ３ｂ（図３参照）であると考えられる。
【００３３】
また、図４に示すように、ステップＳ５において、検知された電圧が約０Ｖではないと判断された場合、ステップＳ８において、検知された電圧が約１Ｖであるか否かが判断される。そして、ステップＳ８において、検知された電圧が約１Ｖであると判断された場合、ステップＳ９において、接続されたアンテナ３がアクティブアンテナ３ａであると判断される。
【００３４】
また、ステップＳ８において、検知された電圧が約１Ｖではないと判断された場合、ステップＳ１０において、アンテナ接続部１ａ（図２参照）にアンテナ３が接続されていないと判断される。そして、ステップＳ７において、制御部２ｂによって、アンテナ３へ電力を供給しないように制御されて処理が終了される。なお、この場合、約５Ｖ程度の電圧が検知される。つまり、アンテナ接続部１ａにアンテナ３が接続されていない開放状態の場合であると考えられる。
【００３５】
そして、ステップＳ９において、接続されたアンテナ３がアクティブアンテナ３ａであると判断された場合に、ステップＳ１１に進み、テレビジョンの映像を表示させる設定がされているか否かが判断される。ここで、テレビジョンの映像を表示させる設定とは、アンテナ３を介して受信した映像情報をディジタルテレビ１の表示部１ｂ（図１参照）に表示させるか否かという設定である。具体的には、テレビジョンの映像を表示させる設定がされている場合は、ユーザがテレビジョンの映像を観賞する場合が考えられる。また、テレビジョンの映像を表示させる設定がされていない場合は、たとえば、ＤＶＤ表示装置などによる外部機器の映像情報を表示させる場合が考えられる。
【００３６】
そして、図４のステップＳ１１において、ディジタルテレビ１の表示部１ｂにテレビジョンの映像を表示させる設定がされていると判断された場合には、ステップＳ１２において、アンテナ３への電力供給が開始されて処理が終了される。また、テレビジョンの映像を表示させる設定がされていないと判断された場合には、ステップＳ７において、アンテナ３へ電力供給しないように制御されるとともに処理が終了される。
【００３７】
ここで、第１実施形態では、制御部２ｂは、ディジタルテレビ１に電源が投入される毎に、アンテナ接続部１ａに接続されたアンテナ３がアクティブアンテナ３ａか否かを検知する。
【００３８】
次に、本発明の第１実施形態による受信装置２の電源投入状態における動作について説明する。図５に示すように、ステップＳ１３において、アンテナ３（図１参照）へ電力が供給されているか否かが判断される。アンテナ３へ電力が供給されていると判断されない場合は、判断されるまで繰り返し動作を行う。そして、アンテナ３へ電力が供給されていると判断された場合には、ステップＳ１４において、テレビジョンの映像を表示する設定がされているか否かが判断される。ここで、テレビジョンの映像を表示する設定がされていると判断された場合には、ステップＳ１５に進み、アンテナ３への電力供給が継続されるとともに、再び最初に戻って繰り返し動作を行う。また、ステップＳ１４において、テレビジョンの映像を表示する設定がされていないと判断された場合には、ステップＳ１６に進み、アンテナ３への電力供給が停止される。なお、受信装置２の電源投入状態におけるテレビジョンの映像を表示する設定がされていない具体的な例としては、ユーザがテレビジョンの映像を観賞している際に、途中からＤＶＤ表示装置などによる外部機器の映像情報を表示させるように切り換えた場合などが考えられる。
【００３９】
ここで、本実施形態では、図６および図７に示すように、ディジタルテレビ１の表示部１ｂ（図１参照）には、ユーザの手動によりアンテナ３に電力を供給するか否かの設定を行うことが可能な設定画面１ｃが表示可能である。具体的には、ユーザのリモコン４（図１参照）の操作により、ディジタルテレビ１の表示部１ｂに、図６に示すようなメニュー画面を表示させる。そして、「アンテナへの電力供給設定」の項目を選択することによって、図７に示すように、アンテナへの電力供給のＯＮ／ＯＦＦまたは自動を設定する画面が表示されるとともに、この画面上において、ユーザのリモコン４（図１参照）操作により、アンテナ３に対して電力を供給するか否かを強制的に設定するか、または、制御部２ｂにより自動的にアンテナ３の接続の有無およびアクティブアンテナ３ａが接続されているか否かを判断して、アンテナ３への電力供給を自動的に行うかの選択を行うことが可能である。
【００４０】
第１実施形態では、上記のように、ディジタルテレビ１にアンテナ３が接続されているか否かおよびディジタルテレビ１に接続されたアンテナ３がアクティブアンテナ３ａか否かを検知する制御部２ｂを備えるように構成することによって、制御部２ｂの、ディジタルテレビ１に接続されたアンテナ３がアクティブアンテナ３ａであることを自動的に検知することができる。また、制御部２ｂが、ディジタルテレビ１にアンテナ３が接続されていないことが検知された場合にアンテナ接続部１ａに電力を供給しないように制御するので、その分消費電力の増加を抑制することができる。
【００４１】
また、第１実施形態では、制御部２ｂは、ディジタルテレビ１にアンテナ３が接続されていないことが検知された場合に加えて、アクティブアンテナ３ａではないことが検知された場合にも、アンテナ接続部１ａに電力を供給しないように制御するように構成することによって、アクティブアンテナ３ａ以外のアンテナ３が接続された場合にもアンテナ接続部１ａに電力を供給しないように制御するので、その分、さらに消費電力の増加を抑制することができる。
【００４２】
また、第１実施形態では、制御部２ｂは、ディジタルテレビ１に電源が投入される毎に、アンテナ３がアクティブアンテナ３ａか否かを検知するように制御するように構成することによって、ユーザが、ディジタルテレビ１に電源が投入されていない際にアンテナ３の交換などを行ったとしても、次回にディジタルテレビ１に電源を投入された際に接続されたアンテナ３がアクティブアンテナ３ａであるか否かを容易に検知することができる。
【００４３】
また、第１実施形態では、電源部２ｃとアンテナ接続部１ａとの間に設けられた電圧検出抵抗２ｆをさらに備え、制御部２ｂは、電源部２ｃから５Ｖの電圧および３０ｍＡの電流からなる電力をアンテナ接続部１ａを介してアンテナ３に供給するとともに、電圧検出抵抗２ｆとアンテナ接続部１ａとの間の電圧の大きさを検知することによりアクティブアンテナ３ａか否かを検知するように構成することによって、検知された電圧の大きさによりアンテナ接続部１ａに接続されたアンテナ３がアクティブアンテナ３ａか否かを検知するので、アンテナ接続部１ａに接続されたアンテナ３がアクティブアンテナ３ａか否かを容易に検知することができる。
【００４４】
また、第１実施形態では、制御部２ｂは、表示部１ｂにテレビジョン以外の映像が表示されている場合に、アンテナ３に電力を供給しないように制御するように構成することによって、制御部２ｂは、たとえば、表示部１ｂにＤＶＤなどの映像が表示されている場合など、アクティブアンテナ３ａを使用していない場合にアクティブアンテナ３ａに電力を供給しないように制御するので、その分、さらに消費電力の増加を抑制することができる。
【００４５】
また、第１実施形態では、ディジタルテレビ１は、アンテナ３により受信したテレビジョンの映像情報を表示する表示部１ｂを含み、表示部１ｂは、アンテナ３に電力を供給するか否かの設定をユーザにより行う設定画面１ｃを表示可能なように構成することによって、ユーザは、アンテナ３に電力を供給するか否かの設定を表示部１ｂの設定画面１ｃを用いて設定することができるので、ユーザは、アンテナ３に電力を供給するか否かの設定を容易に行うことができる。
【００４６】
（第２実施形態）
図８は、本発明の第２実施形態による受信装置のブロック図である。また、図９は、本発明の第２実施形態による受信装置に接続されたアンテナがアクティブアンテナか否かを判断する制御フローを示したフローチャートである。この第２実施形態では、検知した電圧の大きさによりディジタルテレビに接続されたアンテナがアクティブアンテナか否かを検知した第１実施形態とは異なり、アンテナにおける受信強度の変化を検知することによりアクティブアンテナか否かを検知する例を説明する。なお、この第２実施形態において、第１実施形態の構成と同様の部分は説明を省略する。
【００４７】
まず、図１および図８を参照して、本発明の第２実施形態による受信装置２０の構成について説明する。本発明の第２実施形態によるディジタルテレビ１の受信装置２０は、図８に示すように、第１実施形態における受信装置２の構成（図２参照）から電圧検出抵抗２ｆを外した構成になっており、電源部２０ｃより供給された電力は、スイッチングトランジスタ２０ｄおよびアンテナ接続部１ａを介してアンテナ３（図１参照）に到達するように構成されている。
【００４８】
ここで、第２実施形態では、メモリ部２０ａには、受信装置２０を制御するための制御プログラムなどが格納されている。制御部２０ｂは、電源部２０ｃからアンテナ３（図１参照）へ供給する電力の大きさを変化させた場合のアンテナ３からの受信信号の受信強度の変化をノードＢにおいて検知することによって、アクティブアンテナ３ａが接続されているか否かを検知するように構成されている。具体的には、アンテナ３が受信した信号を受信装置２０に送信する際にアンテナ３に供給する電力の大きさを変化させた場合に、アンテナ接続部１ａに接続されたアンテナ３がアクティブアンテナ３ａである場合にはノードＢにおいて検知する受信信号の受信強度が変化する。また、接続されたアンテナ３がパッシブアンテナ３ｂである場合およびアンテナ３が接続されていない状態の場合には、受信信号の受信強度は変化しない。すなわち、制御部２０ｂは、アンテナ３に供給する電力の大きさを変化させた際に、受信信号の受信強度が変化する場合に、アンテナ接続部１ａに接続されたアンテナ３はアクティブアンテナ３ａであると検知するように構成されている。
【００４９】
次に、図１、図８および図９を参照して、本発明の第２実施形態による受信装置２０の電源投入時における動作について説明する。
【００５０】
まず、ステップＳ１〜ステップＳ３において、図４を用いて説明した第１実施形態と同様の動作が行われる。そして、ステップＳ３において、アンテナ３（図１参照）に５Ｖの電圧および３０ｍＡの電流からなる電力がアンテナ接続部１ａ（図８参照）に対して供給されると、アンテナ３に電力が供給されることによってアンテナ３において受信動作が開始される。そして、アンテナ３において信号が受信されると、受信された信号が受信装置２０に送信される。
【００５１】
そして、ステップＳ２１に進み、制御部２０ｂによってノードＢ（図８参照）における受信信号の受信強度の検知が開始される。そして、ステップＳ２２において、制御部２０ｂによりアンテナ３に供給される供給電力の大きさを変化させるとともに、ステップＳ２３において、アンテナ３への供給電力の大きさの変化に伴う受信強度の大きさの変化があるか否かが判断される。ここで、受信信号の受信強度の大きさの変化があると判断された場合には、ステップＳ９に進み、接続されたアンテナ３がアクティブアンテナ３ａであると判断されるとともに、以降は第１実施形態と同様の処理が行われる。また、ステップＳ２３において、受信信号の受信強度の大きさに変化がないと判断された場合には、ステップＳ２４に進み、接続されたアンテナ３がアクティブアンテナ３ａではない場合およびアンテナ３が接続されていない状態の場合のいずれかに該当すると判断される。そして、ステップＳ７に進み、制御部２０ｂによりアンテナ３に電力供給しないように制御されて処理が終了される。なお、本発明の第２実施形態による受信装置２０の電源投入状態における動作については、第１実施形態と同様であるので、説明を省略する。
【００５２】
上記のように、第２実施形態では、制御部２０ｂが、電源部２０ｃからアンテナ３への供給電力の大きさを変化させた場合にアンテナ３からの受信信号の受信強度の変化を検知することにより、ディジタルテレビ１に接続されたアンテナ３がアクティブアンテナ３ａか否かを検知するように構成することによって、アンテナ３への供給電力の大きさの変化に伴う受信信号の受信強度の変化を検知するので、アンテナ接続部１ａに接続されたアンテナ３がアクティブアンテナ３ａか否かを容易に検知することができる。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
たとえば、上記第１および第２実施形態において、制御部により、アンテナ接続部にアクティブアンテナが接続されていないと検知された場合に自動的にアンテナに電力供給を行わない例を示したが、本発明はこれに限らず、アクティブアンテナが接続されていないと検知された場合に、ユーザに対してアンテナに電力供給を行うか否かを選択させるように構成してもよい。
【００５５】
また、上記第１および第２実施形態において、制御部により、表示部にテレビジョン以外の映像が表示されている場合に、アンテナに電力を供給しないように制御する例を示したが、本発明はこれに限らず、表示部にテレビジョン以外の映像が表示された際に、ユーザに対してアンテナに電力供給を行うか否かを選択させるように構成してもよい。
【図面の簡単な説明】
【００５６】
【図１】本発明の第１実施形態による受信装置が内蔵されたディジタルテレビの全体構成を示す図である。
【図２】図１に示した本発明の第１実施形態による受信装置のブロック図である。
【図３】図１に示した本発明の第１実施形態による受信装置のブロック図である。
【図４】図１に示した本発明の第１実施形態による受信装置の電源投入時における制御フローを示したフローチャートである。
【図５】図１に示した本発明の第１実施形態による受信装置の電源投入状態における制御フローを示したフローチャートである。
【図６】図１に示したディジタルテレビの表示部に表示される設定画面を示した図である。
【図７】図１に示したディジタルテレビの表示部に表示される設定画面を示した図である。
【図８】本発明の第２実施形態による受信装置のブロック図である。
【図９】図８に示した本発明の第２実施形態による受信装置の電源投入時における制御フローを示したフローチャートである。
【符号の説明】
【００５７】
１            ディジタルテレビ（装置本体）
１ａ          アンテナ接続部
１ｂ          表示部
１ｃ          設定画面（設定画面部）
２、２０      受信装置
２ａ、２０ａ  メモリ部
２ｂ、２０ｂ  制御部
２ｃ、２０ｃ  電源部
２ｆ          電圧検出抵抗
３            アンテナ
３ａ          アクティブアンテナ
【図１】
2008219540.tif 000003
【図２】
2008219540.tif 000004
【図３】
2008219540.tif 000005
【図４】
2008219540.tif 000006
【図５】
2008219540.tif 000007
【図６】
2008219540.tif 000008
【図７】
2008219540.tif 000009
【図８】
2008219540.tif 000010
【図９】
2008219540.tif 000011